(57)【要約】【課題】ロール紙の振れを防止して用紙供給の安定化を図るプリンタのロール紙支持装置を提供する。【解決手段】ロール紙振れ止めピン５２，５２は支持板４６，４８に取り付けられ、巻芯４３がロール紙支持軸５０に支持された際、巻芯４３回転軸の中心よりも下方側で、巻芯４３の内側面に当接するように位置決めされている。印字時には、台紙４２がラベルプリンタ１０の前方に向かって引き出される。台紙４２に生じる引張力によってロール紙４０が回転されるが、ロール紙振れ止めピン５２，５２が巻芯４３の内側面に当接し、ロール紙４０が台紙４２の引き出し方向に対して位置決めされるので、ロール紙４０の振れが発生することなく台紙４２を安定供給できる。【選択図】  図２
2004292158.tif 000002
【特許請求の範囲】
【請求項１】
ロール紙を軸方向に挟んで配設された一対の支持部材と、
前記ロール紙の巻芯部より内側に伸張し、ロール紙を引っ掛けて回転可能に支持するロール紙支持軸とを備えたプリンタのロール紙支持装置において、
前記支持部材の少なくとも一方には、ロール紙の回転時に前記巻芯部の内側面に当接して前記ロール紙支持軸を中心としたロール紙の振れを規制するロール紙振れ止めピンを設けたことを特徴とするプリンタのロール紙支持装置。
【請求項２】
前記ロール紙振れ止めピンを移動可能とし、前記ロール紙支持軸と前記ロール紙振れ止めピン間の間隔を調整できるようにしたことを特徴とする請求項１に記載のプリンタのロール紙支持装置。
【発明の詳細な説明】
【０００１】
【発明の属する技術分野】
本発明はプリンタのロール紙支持装置に係り、特にファクシミリなどに用いられる記録紙、あるいは台紙上に貼付されたラベルやシールなどが巻回されたロール紙を支持するプリンタのロール紙支持装置に関する。
【０００２】
【従来の技術】
プリンタに使用されるロール紙は、ロール紙支持装置を介してプリンタ内部に装着される。図８に示す従来のロール紙支持装置８０は、一対の支持板８１，８１に設けられたロール紙支持軸８２をロール紙８４の巻芯８６中空部に挿入してロール紙８４を回転自在に支持する（特許文献１参照）。
【０００３】
【特許文献１】
特開２０００−２３８９３７号公報
【０００４】
【発明が解決しようとする課題】
しかし、このようなロール紙支持装置ではロール紙支持軸８２が巻芯８６の内周側１点で引っ掛けてロール紙を回転可能に支持しているので、ロール紙８４にロール紙支持軸８２を中心とした振れが発生し易く（図８上破線８５）、ロール紙８４から引き出された用紙の供給が安定しない欠点があったり、印字精度が低下する不具合があった。
【０００５】
本発明はこのような事情に鑑みて成されたもので、ロール紙の振れを防止して用紙供給の安定化を図るプリンタのロール紙支持装置を提供することを目的とする。
【０００６】
【課題を解決するための手段】
本発明は前記目的を達成するために、ロール紙を軸方向に挟んで配設された一対の支持部材と、前記ロール紙の巻芯部より内側に伸張し、ロール紙を引っ掛けて回転可能に支持するロール紙支持軸とを備えたプリンタのロール紙支持装置において、前記支持部材の少なくとも一方には、ロール紙の回転時に前記巻芯部の内側面に当接して前記ロール紙支持軸を中心としたロール紙の振れを規制するロール紙振れ止めピンを設けたことを特徴としている。
【０００７】
本発明によれば、支持部材に設けられたロール紙振れ止めピンが巻芯部の内側面に当接し、ロール紙を所定位置に保持するので、ロール紙の振れを防止して、用紙を安定供給できる。
【０００８】
請求項２に記載された本発明によれば、ロール紙振れ止めピンを移動可能とし、ロール紙支持軸とロール紙振れ止めピン間の間隔を調整できるようにしたので、巻芯部の径が異なるロール紙も装着できる。具体的には、支持部材に案内溝を形成し、ロール紙振れ止めピンを案内溝に沿って移動可能に取り付ける。この案内溝は、ロール紙支持軸とロール紙振れ止めピンの間隔を調整できるように形成する。また、ロール紙振れ止めピンは案内溝の所望位置で固定可能とする。これにより、ロール紙支持軸とロール紙振れ止めピンの間隔が調整できる。
【０００９】
【発明の実施の形態】
以下、添付図面に従って、本発明に係るプリンタのロール紙支持装置の好ましい実施の形態を、図１に示すラベルプリンタ１０を用いて説明する。なお、図１はプリンタカバー３１を開いた状態を示している。
【００１０】
ラベルプリンタ１０のプリンタ本体１２上部には、プリンタの設定などを行うための操作パネル１６が備えられ、プリンタ本体１２の正面には電源スイッチ１４、排紙部１８、プリンタカバー３１を開くためのカバーオープンレバー２０，２０が設けられている。
【００１１】
プリンタ本体１２内部には回転駆動可能なプラテンローラ２４、印字ヘッド３０、ロール紙供給部３２、ロール紙支持装置４４などが設けられている。
【００１２】
ロール紙供給部３２にはロール紙４０が収納される。このロール紙４０はラベル４１，４１…が所定の間隔で仮貼付された台紙４２を巻芯４３に巻回させたものである。ロール紙４０をロール紙供給部３２に収納した後、ロール紙４０から台紙４２を排紙部１８方向に引き出してプリンタカバー３１を閉じると、印字ヘッド３０とプラテンローラ２４との間の隙間（搬送経路）に台紙４２が位置される。
【００１３】
台紙４２は、プラテンローラ２４の回転駆動力によって搬送経路を搬送される。この搬送中に、印字ヘッド３０がプリンタ１０の不図示のＣＰＵによって発熱制御され、台紙４２のラベル４１，４１…に印字が行われる。
【００１４】
さて、ロール紙供給部３２のロール紙支持装置４４は、図２に示すように一対の支持板４６，４８、ロール紙支持軸５０，５１、ロール紙振れ止めピン５２，５２などから構成されている。
【００１５】
支持板４６，４８は、夫々その下部にラック５４，５４を備え、ロール紙供給部３２の底面に形成されたガイド溝（不図示）に当該ラック５４，５４が摺動自在に嵌合されている。また、ロール紙供給部３２の底面には両ラック５４に噛合されたピニオン５６が不図示の軸を介して回転自在に配設されている。一方の支持板４６を任意の方向に摺動すると他方の支持板４８が支持板４６の摺動方向と逆方向に摺動され、これにより支持板４６，４８は相互に接近離間する。なお、符号５８，５８はラック５４，５４を直進ガイド溝５７，５７に沿ってガイドするガイドピンである。
【００１６】
支持板４６，４８の対面にはロール紙支持軸５０，５１が突設されて、これらロール紙支持軸５０，５１にロール紙４０の巻芯４３が支持される。なお、ロール紙支持軸５０，５１は略円柱状に形成され、ロール紙支持軸５０，５１の外周部にはロール紙４０の回転を円滑にするためのローラ５５が設けられている。
【００１７】
ロール紙振れ止めピン５２，５２は、各支持板４６，４８の内側面に取り付けられ、図３に示すように巻芯４３がロール紙支持軸５０に支持された際、巻芯４３回転軸の中心よりも下方側で、巻芯４３の内側面に当接するように位置決めされている。すなわち、図３上符号Ａの範囲内でロール紙振れ止めピン５２，５２を巻芯４３に当接させる。なお、図２に示したようにロール紙振れ止めピン５２，５２の支持板４６側面からの突出高さ（図２上符号Ｂ）は、ロール紙４０の取り付け・取り外しに支障の無いように、ロール紙支持軸５０のそれと比して低くなるように設定する。また、ロール紙振れ止めピン５２，５２の外周に、ロール紙４０の回転を円滑にするためのローラ５３を設けてもよい。
【００１８】
次に、本実施の形態のプリンタのロール紙支持装置の作用を説明する。
【００１９】
作業者は、はじめに支持板４６，４８を開き、ロール紙４０をロール紙供給部３２内で把持したまま支持板４６，４８をロール紙４０方向に摺動させ、ロール紙支持軸５０およびロール紙振れ止めピン５２，５２を巻芯４３の中空部に挿入する。これにより図３に示したように、ロール紙振れ止めピン５２，５２が巻芯４３内側面に当接し、ロール紙４０が台紙４２の所定位置で位置決めされる。なお、ロール紙支持軸５０に対してロール紙振れ止めピン５２，５２の突出高さＢが低く形成されているので（図２参照）、ロール紙４０の装着が容易に行える。この後、台紙４２を排紙部１８方向に引き出してプリンタカバー３１を閉じ、ロール紙４０の装着が終了する。
【００２０】
印字時には、プラテンローラ２４によって台紙４２がラベルプリンタ１０の前方に向かって引き出され、排紙部１８まで搬送されてラベル４１に印字が施される（図１参照）。台紙４２に生じる引張力によってロール紙４０が回転されるが、図３に示したようにロール紙振れ止めピン５２，５２が巻芯４３の内側面に当接し、ロール紙４０が台紙４２の引き出し方向に対して位置決めされているので、ロール紙４０の振れが発生することなく台紙４２を安定供給できる。また、ロール紙振れ止めピン５２，５２が、ロール紙４０の巻芯４３回転軸の中心よりも下方側で巻芯４３の内側面に当接するので、少ない部品点数でロール紙４０の振れを効率よく防止できる。なお、本実施の形態では、ロール紙振れ止めピン５２，５２を、支持板４６，４８に取り付けたが、これに限らず、支持板４６，４８のいずれか一方にのみ取り付けた構成としても構わない。
【００２１】
次に、本発明に係るプリンタのロール紙支持装置の第２の実施の形態を説明する。
【００２２】
図４に示す支持板６０では、ロール紙振れ止めピン６２，６２を、支持板６０に形成された案内溝６４，６４に移動可能に取り付けている。この案内溝６４は、同図に示すようにロール紙支持軸５０の中心軸方向に向けて傾斜して形成され、ロール紙振れ止めピン６２，６２を案内溝６４に沿って移動させれば（図４上矢印Ｃ）、ロール紙支持軸５０とロール紙振れ止めピン６２，６２間の間隔を調整できる。ロール紙振れ止めピン６２は、図５（ａ）に示すように、案内溝６４内をスライド可能な軸部材６７にビス６６にて取り付けられ、ビス６６を締め付ければロール紙振れ止めピン６２，６２を案内溝６４に沿った所望の位置で固定できる。
【００２３】
このような構成のプリンタのロール紙支持装置によれば、ロール紙支持軸５０とロール紙振れ止めピン６２，６２間の間隔を調整できるので、巻芯４３の径が異なるロール紙も装着できる。
【００２４】
なお、図５（ｂ）に示すロール紙振れ止めピン６３には、案内溝６４をスライド可能なスライド部６３ａを形成し、ナット６９にてロール紙振れ止めピン６３を支持板６０に取り付けている。このような構成においても、ロール紙支持軸５０とロール紙振れ止めピン６３，６３間の間隔を調整できる。
【００２５】
次に、本発明に係るプリンタのロール紙支持装置の第３の実施の形態を説明する。
【００２６】
図６に示すロール紙支持装置７０において、支持板７１，７２には貫通部７１ａ，７２ａが形成されており、この貫通部７１ａ，７２ａには揺動部材７４，７５が設けられている。貫通部７１ａ，７２ａにはロール紙４０の巻芯４３と直行する方向に枢軸７３，７３が設けられ、前記揺動部材７４，７５はこの枢軸７３，７３に揺動自在に軸支されている。揺動部材７４，７５の側面上部にはロール紙４０の巻芯４３を支持するロール紙支持軸５０，５１が突設されている。また、揺動部材７４の側面にはロール紙振れ止めピン５２，５２が取り付けられ、巻芯４３が前記ロール紙支持軸５０，５１に支持された際、巻芯４３回転軸の中心よりも下方側で、巻芯４３の内側面に当接するように位置決めされている。支持板７１，７２の支持部７１ｂ，７２ｂには、揺動部材７４，７５の下端部同士を接近させる方向に付勢するばね７６，７６が設けられている。なお、ロール紙支持軸５０，５１やロール紙振れ止めピン５２，５２など、前述した構成と同様の部材には同様の番号を付している。
【００２７】
このように構成された本実施の形態の作用について説明すると、ロール紙４０がロール紙支持装置７０に装着されていない状態では、ばね７６，７６によって揺動部材７４，７５の下端部７４ａ，７５ａが付勢され、枢軸７３を中心として揺動部材７４，７５が揺動されて、支持板の７１，７２内面よりも内側に下端部７４ａ，７５ａが突出する。この状態ではロール紙支持軸５０，５１およびロール紙振れ止めピン５２，５２は、貫通部７１ａ，７２ａの内側に位置される（図６破線部）。
【００２８】
ロール紙４０をロール紙支持装置７０に装着するため、ロール紙４０を同図矢印Ｄに示すように下降させると、ロール紙４０の下側両端部が揺動部材７４，７５の下端部７４ａ，７５ａに当接した後、下端部７４ａ，７５ａが貫通部７１ａ，７２ａ内に押し込まれる。すると、ロール紙支持軸５０，５１およびロール紙振れ止めピン５２，５２が貫通部７１ａ，７２ａから突出し、ロール紙４０の巻芯４３の中空部に挿入される。
【００２９】
印字時には、ロール紙振れ止めピン５２，５２が巻芯４３の内側面に当接し、ロール紙４０が台紙４２（図６において図示せず）の引き出し方向に対して位置決めされ、ロール紙４０の振れが発生することなく台紙４２を安定供給できる。なお、ロール紙４０を取り外す場合には、前述した装着手順と逆の手順によってロール紙４０を上方へ引き上げる操作を行えばよく、これによりロール紙４０の着脱操作がきわめて簡便なものとなる。
【００３０】
なお、図７に示すロール紙支持装置１００は、前述したロール紙支持装置７０の揺動部材７４，７５の機能に変更を加えたものである。すなわち、揺動部材７４，７５における枢軸７３が嵌合させられる部分に、揺動部材の長さ方向に沿うように長穴１０２，１０２を形成し、この長穴１０２，１０２の長さ分だけ揺動部材７４，７５がその長さ方向（図７における上下方向）に摺動可能とされている。揺動部材７４，７５の下端には、下方へ向かう係合突起１０４，１０４が設けられ、かつ、支持部材７１，７２の貫通部７１ａ，７２ａの下面に、揺動部材７４，７５の下方への摺動によって係合突起１０４，１０４が係脱させられる係止孔１０６，１０６が形成されている。
【００３１】
このように構成された本実施の形態の作用について説明すると、ロール紙４０が装着されていない状態では、揺動部材７４，７５が上方に摺動されて係合突起１０４，１０４と係止孔１０６，１０６との係合が解除されており、揺動部材７４，７５がばね７６，７６によって揺動されて、ロール紙支持軸５０，５１およびロール紙振れ止めピン５２，５２が貫通部７１ａ，７２ａ内に位置される（図７破線部）。
【００３２】
ロール紙４０を同図矢印Ｅに示すように下降させると、ロール紙４０の下側両端部が揺動部材７４，７５の下端部７４ａ，７５ａに当接し、下端部７４ａ，７５ａが貫通部７１ａ，７２ａ内に押し込まれて揺動部材７４，７５が揺動される。これにより、ロール紙支持軸５０，５１およびロール紙振れ止めピン５２，５２がロール紙４０の巻芯４３の中空部に挿入されるが、この状態では、下端部７４ａ，７５ａが、ロール紙４０の下側両端部にばね７３の付勢力によって弾性的に当接されたままとなる。さらにロール紙４０を下降させると、ロール紙４０の巻芯４３がロール紙支持軸５０，５１に当接し、揺動部材７４，７５が下降して、揺動部材７４，７５下端部の係合突起１０４，１０４が係止孔１０６，１０６と係合する。これにより、揺動部材７４，７５のばね７６，７６による揺動が拘束される。このため、ロール紙４０と揺動部材７４，７５との間で摩擦力が生じることがなく、ロール紙４０からの台紙４２の円滑な引き出し操作が確保される。
【００３３】
一方、ロール紙４０を引き抜くために、このロール紙４０を上方へ移動させると、巻芯４３に当接したロール紙振れ止めピン５２，５２によって揺動部材７４，７５がロール紙４０とともに上方に移動されて、係合突起１０２と係止孔１０４との係合が解除される。さらにロール紙４０を引き上げると、ばね７３の付勢力によって揺動部材７４，７５が初期位置すなわち同図破線７４，７５に示した位置まで揺動されて、ロール紙４０を引き抜くことができる。
【００３４】
このような構成においても、印字時におけるロール紙４０の振れの発生を防止して、台紙４２を安定供給できる。とくに、ロール紙４０と揺動部材７４，７５との間の摩擦力の変動を軽減できるので、ラベル４１への円滑な印字が行える。なお、本実施の形態では、揺動部材７４の側面にロール紙振れ止めピン５２，５２を取り付けたが、これに限らず、揺動部材７４，７５夫々にロール紙振れ止めピン５２，５２を取り付けた構成としても構わない。
【００３５】
上述したような実施の形態に示したプリンタのロール紙支持装置の構成は、前記実施の形態に限定されるものではない。たとえば、前記第２の実施の形態において、案内溝６４，６４はロール紙支持軸５０の中心軸方向に向けて傾斜して形成されているが、ロール紙支持軸５０とロール紙振れ止めピン６２，６２間の間隔を調整できればよいので、たとえば水平方向や垂直方向に沿って形成されていてもよい。
【００３６】
また、本実施の形態におけるロール紙振れ止めピンは、２個とも巻芯４３の回転軸の中心よりも下方側で巻芯４３の内側面に当接するように配置したが、これに限らず、ロール紙振れ止めピンのいずれか一方を、巻芯４３の回転軸の中心よりも下方側で巻芯４３の内側面に当接するように配置してもよい。
【００３７】
さらに、ロール紙振れ止めピン６２，６２を案内溝６４に沿って移動可能に取り付けたが、これに限らず、ロール紙振れ止めピン６２，６２の位置決め固定穴を予め巻芯４３の径に応じて支持板６０に複数形成し、巻芯４３の径に応じて当該位置決め穴を選択してロール紙振れ止めピン６２，６２を取り付ける構成としてもよい。
【００３８】
また、本実施の形態ではラベル４１が仮貼付された台紙４２からなるロール紙４０を用いたプリンタを例として説明したが、これに限ることなく、台紙無しラベル連続体が巻回されたロール紙を用いるプリンタや、記録紙が巻回されたロール紙を用いるファクシミリなどにおいても本発明を適用できる。
【００３９】
【発明の効果】
以上、説明したように本発明に係るプリンタのロール紙支持装置によれば、支持部材に設けられたロール紙振れ止めピンが巻芯部の内側面に当接し、ロール紙を所定位置に保持するので、ロール紙の振れを防止して安定した用紙の供給が可能となる。
【図面の簡単な説明】
【図１】本発明に係るプリンタのロール紙支持装置を適用するラベルプリンタを示す斜視図
【図２】本発明に係るプリンタのロール紙支持装置を示す斜視図
【図３】本発明に係るプリンタのロール紙支持装置の側面図
【図４】本発明に係るプリンタのロール紙支持装置の第２の実施の形態を示す側面図
【図５】本発明に係るプリンタのロール紙支持装置の第２の実施の形態におけるロール紙振れ止めピン部分の詳細を示す断面図
【図６】本発明に係るプリンタのロール紙支持装置の第３の実施の形態を示す正面図
【図７】本発明に係るさらに他のプリンタのロール紙支持装置の実施の形態を示す正面図
【図８】従来のプリンタのロール紙支持装置を示す側面図
【符号の説明】
１０…ラベルプリンタ、１２…プリンタ本体、４０…ロール紙、４３…巻芯、４６，４８，６０，７１，７２…支持板、５０，５１…ロール紙支持軸、５２，６２，６３…ロール紙振れ止めピン、７４，７５…揺動部材
【図１】
2004292158.tif 000003
【図２】
2004292158.tif 000004
【図３】
2004292158.tif 000005
【図４】
2004292158.tif 000006
【図５】
2004292158.tif 000007
【図６】
2004292158.tif 000008
【図７】
2004292158.tif 000009
【図８】
2004292158.tif 000010